(57)【特許請求の範囲】
【請求項１】
集合玄関に設置されて居住者を呼び出すための集合玄関機と、共用部を撮像する共用部カメラと、来訪者と通話するための居室親機と、これらの機器を制御する制御機とを有し、前記集合玄関機に備えられたカメラからの映像と前記共用部カメラからの映像とが前記居室親機に備えられたモニタに出画可能な集合住宅インターホンシステムにおいて、
前記集合玄関機からの映像と前記共用部カメラからの映像とが共通の映像通信路を介して送信され、前記共用部カメラの撮像映像が、全ての居室親機に対して同時に送信可能であって、
任意の居室親機において前記共用部カメラの映像を取得する操作が成されると、前記映像通信路により送信する映像を共用部カメラからの映像に切り換える切替操作を前記制御機が実施し、前記居室親機において前記共用部カメラの映像を表示でき、
更に制御機は、共用部カメラの映像取得操作を行った居室親機のＩＤ情報を記憶すると共に、居室親機での共用部カメラ映像の出画が終了したら当該ＩＤ情報を消去し、記憶したＩＤ情報が複数の場合は、全ての前記居室親機のＩＤ情報が消去された時点で前記共用部カメラからの映像を映像通信路から切り離して共用部カメラからの映像を送信不可とすることを特徴とする集合住宅インターホンシステム。
【請求項２】
前記居室親機は、前記共用部カメラからの映像を出画中に、前記集合玄関機からの呼び出しを受けて集合玄関機と通話操作が成されたら、前記共用部カメラと形成された映像通信路を切断し、前記集合玄関機と映像通信路を形成することを特徴とする請求項１記載の集合住宅インターホンシステム。
【請求項３】
前記共用部カメラを複数有する場合は、送信映像を切り替えるカメラ切替手段を備え、前記カメラ切替手段により共用部カメラは所定時間間隔で順次切り替えられて動作し、共用部カメラの映像を取得した居室親機では各共用部カメラからの映像が自動で切り替わって出画されることを特徴とする請求項１又は２記載の集合住宅インターホンシステム。
【請求項４】
前記居室親機は、出画映像を静止させる静止画像作成手段を有し、各共用部カメラから送信された映像を出画中に、前記静止画像作成手段を操作することで静止画として表示することを特徴とする請求項３記載の集合住宅インターホンシステム。
【請求項５】
前記居室親機は、前記静止画を録画する録画手段を有することを特徴とする請求項４記載の集合住宅インターホンシステム。
【請求項６】
前記居室親機は、前記集合玄関機との通話が終了したら、再び前記共用部カメラとの間で映像通信路を再形成し、現在の撮像映像を出画することを特徴とする請求項２記載の集合住宅インターホンシステム。
【発明の詳細な説明】
【技術分野】
【０００１】
本発明は、集合住宅インターホンシステムに関し、詳しくは居室親機において共用部カメラの映像を確認することができる集合住宅インターホンシステムに関する。
【背景技術】
【０００２】
集合玄関機に設けられた来客を撮像する為のカメラの撮像映像以外に、共用部を撮像するカメラの映像を居室親機にて出画させることができる集合住宅インターホンシステムとして、例えば特許文献１に示す構成のシステムがある。
特許文献１では、居室親機のカメラ切替ボタンを操作して、複数の集合玄関カメラ及び監視カメラの中から好ましい組み合わせを選択することで、選択したカメラの撮像映像を順次切り替えて選択操作した居室親機のモニタに出画させることを可能としている。
【０００３】
【特許文献１】特開２００５−１０９８０４号公報
【発明の開示】
【発明が解決しようとする課題】
【０００４】
しかしながら、上記特許文献１の集合住宅インターホンシステムは、カメラ映像の出画操作をした居室親機は共用部カメラの映像を出画でき、居住者は映像を確認することができるが、他の居室親機ではその間カメラ映像を出画できないので不便であったし、確認したい映像があっても詳しく確認することができずセキュリティ性が低かった。
【０００５】
そこで、本発明は上述の難点を解消するために、複数の居室親機において同時に共用部カメラの映像を確認することができ、更に必要に応じて映像を確認し易い集合住宅インターホンシステムを提供することを目的としている。
【課題を解決するための手段】
【０００８】
上記課題を解決する為に、請求項１の発明は、集合玄関に設置されて居住者を呼び出すための集合玄関機と、共用部を撮像する共用部カメラと、来訪者と通話するための居室親機と、これらの機器を制御する制御機とを有し、集合玄関機に備えられたカメラからの映像と共用部カメラからの映像とが居室親機に備えられたモニタに出画可能な集合住宅インターホンシステムにおいて、集合玄関機からの映像と共用部カメラからの映像とが共通の映像通信路を介して送信され、共用部カメラの撮像映像が、全ての居室親機に対して同時に送信可能であって、任意の居室親機において共用部カメラの映像を取得する操作が成されると、映像通信路により送信する映像を共用部カメラからの映像に切り換える切替操作を制御機が実施し、居室親機において共用部カメラの映像を表示でき、更に制御機は、共用部カメラの映像取得操作を行った居室親機のＩＤ情報を記憶すると共に、居室親機での共用部カメラ映像の出画が終了したら当該ＩＤ情報を消去し、記憶したＩＤ情報が複数の場合は、全ての居室親機のＩＤ情報が消去された時点で共用部カメラからの映像を映像通信路から切り離して共用部カメラからの映像を送信不可とすることを特徴とする。
この構成により、専用の映像信号線を設けなくとも任意の居室親機において共用部カメラの映像を取得可能でありセキュリティ性が向上する。また、ＩＤ情報の有無で共用部カメラ撮像映像の送信操作を制御することが可能であり、映像信号線の切替制御を容易にできる。
また、共用部カメラの映像が必要とされない時は、共用部カメラの出力を停止でき、映像信号線を切り替える制御がし易い。
【０００９】
請求項２の発明は、請求項１に記載の発明において、居室親機は、共用部カメラからの映像を出画中に、集合玄関機からの呼び出しを受けて集合玄関機と通話操作が成されたら、共用部カメラと形成された映像通信路を切断し、集合玄関機と映像通信路を形成することを特徴とする。
この発明によれば、突然集合玄関機の映像に切り替わることがなく、共用部カメラの映像を優先して出画するのでセキュリティ性が向上する。
【００１０】
請求項３の発明は、請求項１又は２に記載の発明において、共用部カメラを複数有する場合は、送信映像を切り替えるカメラ切替手段を備え、カメラ切替手段により共用部カメラは所定時間間隔で順次切り替えられて動作し、共用部カメラの映像を取得した居室親機では各共用部カメラからの映像が自動で切り替わって出画されることを特徴とする。
この構成により、複数備えられた共用部カメラの映像を特別な操作をすることなく順次確認することができ、セキュリティ性が向上する。
【００１１】
請求項４の発明は、請求項３に記載の発明において、居室親機は、出画映像を静止させる静止画像作成手段を有し、各共用部カメラから送信された映像を出画中に、静止画像作成手段を操作することで静止画として表示することを特徴とする。
この構成により、共用部カメラの映像が自動的に切り替わっても、居住者が詳しく見たい画面があれば、静止画として確認することができ利便性が向上する。
【００１２】
請求項５の発明は、請求項４に記載の発明において、居室親機は、静止画を録画する録画手段を有することを特徴とする。
この構成により、残したい画像を録画でき、セキュリティ性が向上する。
【００１５】
請求項６の発明は、請求項２に記載の発明において、居室親機は、集合玄関機との通話が終了したら、再び共用部カメラとの間で映像通信路を再形成し、現在の撮像映像を出画することを特徴とする。
この発明によれば、集合玄関機との通話を終了した後に再び共用カメラの映像をみることができるので、来訪者と通話前のモニタ状態を持続でき利便性が向上する。
【発明の効果】
【００１６】
本発明によれば、任意の居室親機で同時に共用部カメラの映像を出画でき便利であるし、同時に複数の居住者が共用部カメラの映像を見ることができ、セキュリティ性が向上する。また、確認したい映像があれば、静止画として確認することができ、更にセキュリティ性が向上する。
【発明を実施するための最良の形態】
【００１７】
以下、本発明を具体化した実施の形態を、図面に基づいて詳細に説明する。図１は、本発明に係る集合住宅インターホンシステムの第１の実施形態の構成図を示し、２台の集合玄関機１と、システムを制御する制御機２と、複数の居室親機３，３・・と、管理室親機４と、複数の共用部カメラ５，５・・と、共用部カメラ５を制御するカメラコントローラ６と、各居室親機３毎に制御機２との間に設けられた住戸アダプタ７とから構成されている。集合玄関機１、管理室親機４、カメラコントローラ６は夫々信号線８ａ，８ｂ，８ｃにより制御機２に接続され、居室親機３は夫々住戸アダプタ７を介して制御機２から延びた親機幹線９に接続されている。
【００１８】
居室親機３は、図２の回路ブロック図に示すように構成されている。図２において、１１は映像信号を復調する復調回路、１２は伝送されてきた映像情報を出画させるためのモニタ、１３はスピーカ１４及びマイク１５により通話を実施するための通話回路、１６はテンキー等からなる設定手段、１７は共用部カメラの撮像映像を出画させるための共用部カメラボタン、１８はタッチパネルから成る操作手段、１９ａは映像や画像を録画する録画メモリ、１９ｂは各種設定を記憶するための設定メモリ、２１は親機インターフェイス（親機ＩＦ）、２２は居室親機３を制御する親機ＣＰＵである。
【００１９】
また住戸アダプタ７は、図３の回路図に示すように構成されている。図３に示すように、制御機２から各居室親機３に配設された親機幹線９は、データ信号を伝送するデータ信号線２５ａ、集合玄関機用の通話・映像信号線２５ｂ，２５ｃ（２５ｂは第１チャンネル、２５ｃは第２チャンネルであり通話・映像信号線は２チャンネル備えられている）、共用部カメラの映像通信路として使用される映像信号線２５ｄを有している。
【００２０】
そして、集合玄関機用の通話・映像信号線２５ｂ，２５ｃと共用部カメラ用の映像信号線２５ｄは、それぞれ第１切替スイッチＳＷ１，第２切替スイッチＳＷ２，第３切替スイッチＳＷ３を介して居室親機３に配設された１本の通話・映像信号線２６ｂに接続される。また、２６ａはデータ信号伝送線２５ａに接続された親機データ信号線、２６ｃは居室親機３から住戸アダプタ７を制御するためのアダプタ制御信号線を示している。
【００２１】
このように構成された集合住宅インターホンシステムの動作を次に説明する。尚、集合玄関機１からの呼び出し、居住者との通話、オートドアの解錠等の動作については従来と同様であるので説明を省略する。また、複数の共用部カメラ５の撮像映像は、カメラコントローラ６の制御により所定時間間隔で切り替えて制御機２に撮像映像を出力される。この映像はカメラコントローラ６からＮＴＳＣで出力され、制御機２にてＦＭ変調されて専用の映像信号線２５ｄにより各居室親機３へ送信されている。
【００２２】
そして、居室親機３の共用部カメラボタン１７が操作されると、制御信号が親機ＣＰＵ２２から親機ＩＦ２１、アダプタ制御信号線２６ｃを介して住戸アダプタ７へ送出され、住戸アダプタ７は、その制御信号により第３切替スイッチＳＷ３を切り替えて、映像信号線２５ｄと通話・映像信号線２６ｂを接続し、制御機２と居室親機３間の映像通信路を形成する。これにより、送出されている共用部カメラ５の映像が常時居室親機３のモニタ１２に出画される。その際、上述のように共用部カメラ５は順次切り替えられているので、居室親機３では所定時間間隔で各共用部カメラ５の映像が切り替わって出画され、居住者は共用部カメラ５の映像を順次確認することができる。
また、映像信号線２５ｄは各居室親機３から接続できるため、同時に複数の居室親機３において共用部カメラの撮像映像を出画させることができる。
【００２３】
このように共用部カメラ５の撮像映像を出画しているときに、居住者がじっくりと出画映像を確認したい場合は、操作手段１８を操作することで、親機ＣＰＵ２２はその時の映像を停止させて静止画としてモニタ１２に表示させる動作をする。更に、この静止画像は録画メモリ１９ａに自動録画される。その後、所定の操作をすることにより静止画状態は解除され、再び共用部カメラ５からのリアルタイム映像に切り替わる。尚、静止画像の録画メモリ１９ａへの録画は自動とせず、所定の操作で行うようにしても良いが、自動化することでセキュリティ性を向上させることができる。
【００２４】
一方、共用部カメラ５の映像を出画中に、集合玄関機１から呼出があった場合は次のように動作する。居室親機３にて共用部カメラ５の映像を出画中に集合玄関機１から呼び出しがあると、制御機２を介して居室親機３に呼出信号が伝送され、その信号を検出した親機ＣＰＵ２２は、制御信号を更に住戸アダプタ７へ送信する。住戸アダプタ７は、その制御信号を受けて、第３切替スイッチＳＷ３を切り替えて映像信号線２５ｄを切り離すと共に、第１切替スイッチＳＷ１を切り替えて集合玄関機１と居室親機３の間の通信・映像信号線を接続して映像通信路を形成する。これにより、居住者は集合玄関機１の前にいる来訪者の映像を即座に確認することができる。
【００２５】
居住者が来訪者を確認した後は、所定の操作により通話が実施でき、その後終話操作が成されると（若しくは通話に入ることなく呼出が終了したとき）、居室親機３の制御によ第１切替スイッチＳＷ１及び第３切替スイッチＳＷ３が切り替わり、再び共用部カメラ５の映像に切り替わる。
【００２６】
このように、常時共用部カメラの映像通信路を確保しているので、任意の居室親機で共用部カメラの映像を何時でも出画できるので便利であるし、同時に複数の居住者が共用部カメラの映像を見ることができ、セキュリティ性が向上する。
また、共用部カメラが複数であっても、特別な操作をすることなく個々の撮像映像を順次確認することができ、セキュリティ性を更に向上できるし、共用部カメラの映像が自動的に切り替わっても、居住者が確認したい画面があれば、静止画として確認することができ、利便性が向上する。
更に、共用部カメラの映像を確認中であっても集合玄関機にて呼出があった場合には共用部カメラの映像から集合玄関機の映像に自動的に切り替わるので、居住者は切替操作をすることなく来訪者を確認でき、操作性が向上する。
また、集合玄関機との通話を終了した後に再び自動的に共用部カメラの映像をみることができるので利便性が向上する。
【００２７】
尚、ここでは、第１切替スイッチＳＷ１を操作して第１チャンネル２５ｂにより集合玄関機１と居室親機３を接続しているが、第１チャンネル２５ｂが使用中である場合は、第２切替スイッチＳＷ２を操作して第２チャンネル２５ｃを使用して集合玄関機１と居室親機３とが接続される。
また、切り替えのタイミングを呼出信号の検出により連動させているが、呼出信号を受信したときには共用部カメラの映像を維持し、その後来訪者と通話するための通話ボタンを押す操作を受けて、出画映像を共用部カメラから集合玄関機の来訪者映像に切り換えても良い。この場合、通話ボタン等を押す操作を親機ＣＰＵ２２に検出させて、制御信号を住戸アダプタ７へ送信し、その信号を受けて住戸アダプタ７が共用部カメラ５と形成された映像路を切断すれば良い。こうすることで、突然集合玄関機の映像に切り替わることがなく、共用部カメラの映像を優先して出画させることができ、利便性を向上できる。
【００２８】
次に、集合住宅インターホンシステムの第２の実施形態を説明する。上記第１の実施形態とは共用部カメラの映像信号のための専用線を持たない点が異なり、集合玄関機１からの映像と共用部カメラ６からの映像とが共通の通話・映像信号線を介して送信される構成となっている。
この場合、住戸アダプタ７は図４に示すように構成され、制御機２との接続は居室親機３との接続と同様に３線式の信号線で接続されている。尚、上記図３と同様の構成要素には同一の符号を付与して説明を省略する。また、この場合、制御機２は図５に示すよう構成され、３０，３１はデータインターフェイス（データＩＦ）、３２は居室親機３に送出する映像信号を選択する映像路切替部、３３は２チャンネルある通話・映像信号線２５ｂ，２５ｃを切り換えるチャンネル切替部、３４は制御機ＣＰＵを示している。
【００２９】
このように構成された集合住宅インターホンシステムにおいて共用部カメラの撮像映像の居室親機での出画は次のように成される。居室親機３の共用部カメラボタン１７が操作されると、制御信号が住戸アダプタ７を介して制御機２へ送信される。ここで制御機ＣＰＵ３４は、空きチャンネルの状況を確認し、例えば、第１チャンネル２５ｂが他の居室親機３と集合玄関機１と通話に使用されている場合には、空きチャンネルとなっている第２チャンネル２５ｃを使用するように制御する。
【００３０】
こうして、チャンネル切替部３３によって、例えば第２チャンネル２５ｃが使用され、映像路切替部３２により切り換えられた共用部カメラ５が第２チャンネル２５ｃと接続される。また、制御機ＣＰＵ３４は、第２チャンネル２５ｃを使用することをデータ信号で居室親機３へ送信し、居室親機３は住戸アダプタ７に制御信号を送信して第２切替スイッチＳＷ２を切り替えて、第２チャンネル２５ｃと通話・映像信号線２６ｂが接続される。こうして、居室親機３のモニタ１２に共用部カメラ５の映像が出画される。
【００３１】
この場合、制御機２による共用部カメラの制御動作を説明すると、居室親機３の共用部カメラボタン１７の操作を受けて、その居室親機３のＩＤ情報が制御機２に記憶され、この動作を受けてカメラコントローラ６が共用部カメラ５の撮像を開始させて、撮像映像を制御機２に伝送する。そして、居室親機３での出画が終了したら、記憶されたＩＤ情報は消去されると共に共用部カメラ５からの映像を送信不可とし、カメラコントローラ６は映像信号の伝送を止め、実質共用部カメラ５がシステムから切り離される。
また、複数の居室親機３が共用部カメラ５の撮像映像を出画している場合には、居室親機３のＩＤ情報が制御機２に複数記憶され、全てのＩＤ情報が消去された時点で、即ち全ての居室親機３での出画が終了した時点で共用部カメラ５からの映像信号の送信が停止される。尚、撮像動作中は、上記実施形態と同様に、各共用部カメラ５が所定時間毎に切り替わって映像信号が伝送される。
【００３２】
このように、専用の映像信号線を設けなくとも空きチャンネルを利用して任意の居室親機において共用部カメラの映像を出画することができる。そして、共用部カメラの映像が必要とされない時は、共用部カメラの撮像映像の出力を停止して集合玄関機からの映像のみを送信するので、映像信号線を切り替える制御がしやすい。
【００３３】
尚、この第２の実施形態においても、集合玄関機１から呼び出しがあった場合には、第１の実施形態と同様に集合玄関機の映像に切替ることも可能で、その場合には空いているチャンネル（例えば、第１チャンネル２５ｂ）が用いられる。この場合、他の居室親機３が共用部カメラ５の映像を出画している場合にはそのままＣＨ２の接続を維持されるので問題はない。
また、上記実施形態は、何れも通話／映像信号を伝送できるチャンネル数を２チャンネルとしたが、これに限定されない。更に、住戸アダプタ７は居室親機３に内蔵されていても良いし、カメラコントローラ６も制御機２と一体的に構成してもよい。
【図面の簡単な説明】
【００３４】
【図１】本発明に係る集合住宅インターホンシステムの第１の実施形態を示す構成図である。
【図２】図１の居室親機の回路ブロック図である。
【図３】図１の住戸アダプタの構成図である。
【図４】集合住宅インターホンシステムの第２の実施形態を示す住戸アダプタの構成図である。
【図５】集合住宅インターホンシステムの第２の実施形態を示す制御機の構成図である。
【符号の説明】
【００３５】
１・・集合玄関機、２・・制御機、３・・居室親機、４・・管理室親機、５・・共用部カメラ、６・・カメラコントローラ、７・・住戸アダプタ、１２・・モニタ、１６・・設定手段、１９ａ・・録画メモリ、２５ｂ・・第１通話・映像信号線（第１チャンネル）、２５ｃ・・第２通話・映像信号線（第２チャンネル）、２５ｄ・・映像信号線。
【図１】
0004681982.tif 000002
【図２】
0004681982.tif 000003
【図３】
0004681982.tif 000004
【図４】
0004681982.tif 000005
【図５】
0004681982.tif 000006